(57)【要約】【課題】  弱酸性除菌ないし殺菌剤等として利用される弱酸性次亜塩素酸水溶液であって、より優れた除菌ないし殺菌性能を有する弱酸性次亜塩素酸水溶液を含む弱酸性除菌ないし殺菌剤等を提供する。【解決手段】  弱酸性除菌ないし殺菌剤等としての弱酸性次亜塩素酸水溶液のｐＨを６．２〜７に、有効塩素濃度を５０〜１００ｐｐｍに調整する。  この弱酸性次亜塩素酸水溶液は、特に、原水もしくは精製水と次亜塩素酸塩を混合・希釈して得られる希釈液に酸性水溶液を添加することにより製造されるものである。【選択図】      なし【特許請求の範囲】
【請求項１】
原水もしくは精製水と次亜塩素酸塩を混合・希釈して希釈液を得る工程と、
前記希釈液に酸性水溶液を添加する工程を含む弱酸性次亜塩素酸水溶液の製造方法であって、
その製造において、前記弱酸性次亜塩素酸水溶液のｐＨを６．２〜７に、有効塩素濃度を５０〜１００ｐｐｍに調整すること
を特徴とする弱酸性次亜塩素酸水溶液の製造方法。
【請求項２】
前記原水は、
市水又は井戸水であること
を特徴とする請求項１に記載の弱酸性次亜塩素酸水溶液の製造方法。
【請求項３】
前記次亜塩素酸塩は、
次亜塩素酸ナトリウムであること
を特徴とする請求項１又は２に記載の弱酸性次亜塩素酸水溶液の製造方法。
【請求項４】
前記酸性水溶液は、
希塩酸であること
を特徴とする請求項１〜３のいずれかに記載の弱酸性次亜塩素酸水溶液の製造方法。
【請求項５】
請求項１〜４のいずれかに記載の方法で得られる弱酸性次亜塩素酸水溶液を含み、
ｐＨ６．２〜７、有効塩素濃度５０〜１００ｐｐｍであること
を特徴とする弱酸性除菌ないし殺菌剤。
【請求項６】
次亜塩素酸塩の希釈装置と、
希釈液と酸性水溶液を混合するための混合装置と、
ｐＨ６．２〜７、有効塩素濃度５０〜１００ｐｐｍに調整する装置と、
を備えること
を特徴とする弱酸性次亜塩素酸水溶液の製造装置。
【請求項７】
弱酸性次亜塩素酸水溶液を含み、
ｐＨ６．２〜７、有効塩素濃度５０〜１００ｐｐｍであること
を特徴とするウォーターサーバー用弱酸性洗浄剤。
【発明の詳細な説明】
【技術分野】
【０００１】
この発明は、弱酸性次亜塩素酸水溶液の製造方法に関するものである。
より詳しくは、市水もしくは井戸水等の原水、又は精製水を用いて、弱酸性次亜塩素酸水溶液を製造する方法および装置、前記方法および装置から得られる弱酸性次亜塩素酸水溶液、並びにこれを含有する除菌ないし殺菌剤、消臭剤、又は洗浄剤等に関するものである。
【背景技術】
【０００２】
市水や井戸水などの原水に次亜塩素酸ナトリウムを添加・混合して得られる混合液と、塩酸を接触・反応させることによって、除菌ないし殺菌、消臭能力を有する次亜塩素酸水溶液含有除菌剤がある。
このような除菌剤は、医療分野や、食品分野などの多くの分野で利用されている。
【０００３】
例えば、特許第４４１３９８３号公報（特許文献１）では、安定した除菌消臭水の生成が可能で、かつ小型化が可能な除菌消臭水装置が提案されている。
【０００４】
具体的には、
１）次亜塩素酸ナトリウム水溶液を貯留する、次亜塩素酸ナトリウム貯留部と、
２）塩酸水溶液を貯留する塩酸貯留部と、
３）原水に前記次亜塩素酸ナトリウム水溶液を注入する、次亜塩素酸ナトリウム注入部と、
４）前記原水に前記次亜塩素酸ナトリウム水溶液が注入された生成水に、前記塩酸水溶液を注入する塩酸注入部と、
５）前記生成水が通過し、第１の拡散部、第１の制動部、第１の安定部、第２の制動部、ジェット部、第２の拡散部、第３の制動部および第２の安定部が、この順序にかつ水平に形成された管路ボックスを備えた
除菌消臭水製造装置が提案されている。
【０００５】
この除菌消臭水製造装置は、塩素ガスが発生することなく、弱酸性領域で安定したｐＨおよび、安定した残留塩素濃度の均質な除菌消臭水の製造を可能とするものである。
【先行技術文献】
【特許文献】
【０００６】
【特許文献１】特許第４４１３９８３号公報（特許請求の範囲）
【発明の開示】
【発明が解決しようとする課題】
【０００７】
しかしながら、特許文献１に記載された除菌消臭水製造装置によって得られる除菌消臭水は、除菌性能が必ずしも十分とは言い得ず、より除菌性能において優れた除菌剤が求められていた。
【０００８】
この発明はかかる現状に鑑み、特に除菌ないし殺菌剤や、消臭剤、洗浄剤など（以下、「除菌ないし殺菌剤等」とも云う。）として利用される弱酸性次亜塩素酸水溶液であって、より優れた除菌ないし殺菌性能を有する弱酸性次亜塩素酸水溶液を含む、弱酸性除菌ないし殺菌剤等を提供することを目的として検討を行なった。
【０００９】
その結果、弱酸性除菌ないし殺菌剤等が、特定のｐＨ及び有効塩素濃度を有する場合には、上記目的が達成され得ることを見出して、この発明を完成させたものである。
【課題を解決するための手段】
【００１０】
すなわち、この発明にかかる請求項１に記載の発明は、
原水もしくは精製水と次亜塩素酸塩を混合・希釈して希釈液を得る工程と、  前記希釈液に酸性水溶液を添加する工程を含む、弱酸性次亜塩素酸水溶液の製造方法であって、
その製造において、前記弱酸性次亜塩素酸水溶液のｐＨを６．２〜７に、有効塩素濃度を５０〜１００ｐｐｍに調整すること
を特徴とする弱酸性次亜塩素酸水溶液の製造方法である。
【００１１】
この発明の請求項２に記載の発明は、
請求項１に記載の弱酸性次亜塩素酸水溶液の製造方法において、
前記原水は、
市水又は井戸水であること
を特徴とするものである。
【００１２】
この発明の請求項３に記載の発明は、
請求項１又は２に記載の弱酸性次亜塩素酸水溶液の製造方法において、
前記次亜塩素酸塩は、
次亜塩素酸ナトリウムであること
を特徴とするものである。
【００１３】
この発明の請求項４に記載の発明は、
請求項１〜３のいずれかに記載の弱酸性次亜塩素酸水溶液の製造方法において、
前記酸性水溶液は、
希塩酸であること
を特徴とするものである。
【００１４】
さらに、この発明の請求項５に記載の発明は、
請求項１〜４のいずれかに記載の方法で得られる弱酸性次亜塩素酸水溶液を含み、
ｐＨが６．２〜７、有効塩素濃度が５０〜１００ｐｐｍであること
を特徴とする弱酸性除菌ないし殺菌剤である。
【００１５】
さらに、この発明の請求項６に記載の発明は、
次亜塩素酸塩の希釈装置と、
希釈液と酸性水溶液を混合するための混合装置と、
ｐＨを６．２〜７に、有効塩素濃度を５０〜１００ｐｐｍに調整する装置と、
を備えること
を特徴とする弱酸性次亜塩素酸水溶液の製造装置である。
【００１６】
さらに、この発明の請求項７に記載の発明は、
弱酸性次亜塩素酸水溶液を含み、
ｐＨが６．２〜７、有効塩素濃度が５０〜１００ｐｐｍであること
を特徴とするウォーターサーバー用弱酸性洗浄剤である。
【発明の効果】
【００１７】
この発明の弱酸性次亜塩素酸水溶液の製造方法および製造装置によって得られる弱酸性次亜塩素酸水溶液を含む弱酸性除菌ないし殺菌剤等は、特定のｐＨ及び有効塩素濃度を有する。
このような構成によって、優れた除菌ないし殺菌性能や、消臭性能、洗浄力を有する弱酸性除菌ないし殺菌剤等を提供することが可能となる。
【図面の簡単な説明】
【００１８】
【図１】図１は、この発明にかかる弱酸性次亜塩素酸水溶液の脱臭性能の測定方法の説明図である。
【図２】図２は、この発明にかかる弱酸性次亜塩素酸水溶液の脱臭性能を示すグラフである。
【図３】図３は、ウォーターサーバーの一例を示す図である。
【発明を実施するための形態】
【００１９】
以下、この発明にかかる弱酸性次亜塩素酸水溶液の製造方法および製造装置、ならびにこれらの方法および装置により得られる弱酸性次亜塩素酸水溶液を含む弱酸性除菌剤を実施するための形態を、弱酸性次亜塩素酸水溶液の製造方法を中心に、詳細に説明する。
なお、この発明は、これら実施例に限定されるものではない。
【００２０】
この発明の弱酸性次亜塩素酸水溶液の製造方法は、原水もしくは精製水と次亜塩素酸塩を混合・希釈して希釈液を得る工程と、前記希釈液に酸性水溶液を添加する工程を含むものである。
【００２１】
この発明において、前記原水は硬度成分を含むもので、市水又は井戸水などである。
【００２２】
この発明において、原水に替えて、原水から精製された精製水を使用することができる。
精製水を使用する場合には、原水に含まれる硬度成分などによって、除菌剤の除菌性能が低下するなどの問題が生じにくい。
原水から精製水を製造するための方法としては、例えば、電気再生式脱塩装置、逆浸透膜装置、ナノろ過膜装置およびイオン交換樹脂塔のうち、少なくとも一つに通水する方法が挙げられる。
特に、この発明において、原水を、所定の精製水製造装置、例えば、電気再生式脱塩装置、逆浸透膜装置、ナノろ過膜装置およびイオン交換樹脂塔のうち、少なくとも一つに通水するだけで、容易に精製水を得ることができる。
【００２３】
この発明において、前記次亜塩素酸塩は、次亜塩素酸ナトリウム、次亜塩素酸カルシウム等であって、特に次亜塩素酸ナトリウムが選択される。
【００２４】
前記酸性水溶液として、例えば、塩酸や酢酸が挙げられ、特に希塩酸が選択される。
【００２５】
この発明の製造方法により弱酸性次亜塩素酸水溶液を製造することには、特に困難はない。
例えば、原水を、そのまま、又は電気再生式脱塩装置、逆浸透膜装置、ナノろ過膜装置およびイオン交換樹脂塔のうち、少なくとも一つに通水して製造した精製水を用いて次亜塩素酸塩を希釈する。
【００２６】
その後、得られた希釈液を、希塩酸等の酸性溶液と接触・反応させることで、弱酸性次亜塩素酸水溶液を得ることができる。
【００２７】
この発明にかかる製造方法により得られる次亜塩素酸水溶液は、弱酸性を呈するものであって、例えば、除菌ないし殺菌剤や、消臭剤、洗浄剤などとして利用できる。
特に、ウォーターサーバーなどの各種装置用の除菌ないし殺菌剤や、洗浄剤として利用できる。
【００２８】
前記除菌ないし殺菌剤等について、そのｐＨは、温度２５℃で好ましくは６．２〜７であって、より好ましくは６．２〜６．８、さらに好ましくは６．５程度である。
【００２９】
有効塩素濃度は、除菌ないし殺菌、消臭、洗浄の対象物の種類や方法などに応じて適宜設定される。
好ましくは５０〜１００ｐｐｍ、より好ましくは５０〜８０ｐｐｍ、さらに好ましくは５０ｐｐｍ程度である。
【００３０】
このような特定のｐＨおよび有効塩素濃度を有する場合には、除菌性能ないし殺菌や消臭性能において、より優れたものとすることができる。
特に、このような特定のｐＨおよび有効塩素濃度を有する次亜塩素酸水溶液を、ウォーターサーバー用の洗浄剤として利用できる。
なお、ｐＨおよび有効塩素濃度の調整は、前記酸性水溶液の添加量を調整する方法など公知の方法によって行うことができ、製造方法において、このような工程を含めることができる。
【００３１】
この発明において、前記弱酸性除菌ないし殺菌剤等には、この発明の目的および効果を阻害しない範囲で、通常の除菌ないし殺菌剤等に用いられる他の成分を適宜添加することができる。
このような成分として、例えば、香料、着色剤、界面活性剤、漂白剤、ｐＨ調製剤、増粘剤、緩衝剤などが挙げられる。
【００３２】
この発明の弱酸性次亜塩素酸水溶液の製造装置は、次亜塩素酸塩の希釈装置と、希釈液と酸性水溶液を混合するための混合装置と、ｐＨ６．２〜７、有効塩素濃度５０〜１００ｐｐｍに調整する装置とを備えるものである。
したがって、この発明は、上記を参考にして、容易に実施することができる。
【００３３】
この発明のウォーターサーバー用弱酸性洗浄剤は、弱酸性次亜塩素酸水溶液を含み、
ｐＨ６．２〜７、有効塩素濃度５０〜１００ｐｐｍであればよい。
したがって、ｐＨ６．２〜７、有効塩素濃度５０〜１００ｐｐｍを有していれば、その製造方法に制限はなく、この発明の製造方法はもちろん、これ以外の従来の方法（例えば、電解法）によって製造された弱酸性次亜塩素酸水溶液を含むものであってもよい。
【実施例】
【００３４】
以下、具体的な実施例によって、この発明の弱酸性次亜塩素酸水溶液の製造方法をより詳細に説明する。
なお、この発明は、これらの実施例に限定されるものではない。
【００３５】
＜実施例１＞
弱酸性次亜塩素酸水溶液を、下記のように製造した。
なお、ｐＨは、ｐＨ試験紙を使用して測定し、有効塩素濃度は、ヨウ素法（ＪＩＳ Ｋ−０１０１）により測定した。
【００３６】
＜製造方法＞
井戸水を逆浸透膜装置に通して精製水（ＲＯ水）を製造した。
この精製水を用いて、所定量の市販の１２％次亜塩素酸ナトリウム溶液を希釈した。
所定量の希釈液を、所定量の希塩酸と混合・反応させて、次亜塩素酸水溶液を得た。
なお、この次亜塩素酸水溶液のｐＨは、約６．５、有効塩素濃度５０ｐｐｍ程度であった。
【００３７】
＜評価例１＞
上記実施例１における次亜塩素酸水溶液について、下記評価方法に基づいて各種ウイルスに対する不活性化能の評価を行った。
その結果を、表１に示す。
【００３８】
＜評価方法＞
次亜塩素酸水溶液１ｍｌに各種ウイルスを添加し、５０％組織培養感染率（ＴＣＩＤ５０）を、添加直後、添加１分後、および添加５分後に測定した。
また、添加５分後のウイルス感染価を測定した。
【００３９】
【表１】
2015104719.tif 000002
【００４０】
＜結  果＞
実施例１において得られたこの発明の次亜塩素酸水溶液は、ウイルスに対する不活性化能に優れていることが分かる。
【００４１】
＜評価例２＞
上記実施例１における次亜塩素酸水溶液について、下記評価方法に基づいて各種細菌に対する抗菌性能の評価を行った。
その結果を、表２に示す。
【００４２】
＜評価方法＞
次亜塩素酸水溶液１０ｍｌに各種細菌０．１ｍｌを接種し、これを試験液とした。
この試験液を室温で保存した。
所定の時間経過後に試験液を採取し、SCDLP培地で１０倍に希釈し、生菌数を測定した。
【００４３】
【表２】
2015104719.tif 000003
【００４４】
＜結  果＞
実施例１において得られたこの発明の次亜塩素酸水溶液は、優れた抗菌性能を有することが分かる。
【００４５】
＜評価例３＞
上記実施例１における次亜塩素酸水溶液について、下記測定方法に基づいて消臭性能の評価を行った。
その結果を、図２に示す。
【００４６】
＜測定方法＞
図１に示されているように、チャンバー内に、次亜塩素酸水溶液の噴霧装置と、チャンバー内のガスを均一にするための撹拌用ファンを入れ、チャンバーを密閉した後、標準ガスボンベから各種悪臭ガスをチャンバー内に導入した。
検知管によりチャンバー内の初期ガス濃度を測定した後、噴霧装置を作動させた。
５分、１５分、３０分、４５分および６０分後に、検知管によりチャンバー内のガス濃度を測定し、悪臭ガス残存率を求めた。
【００４７】
＜結  果＞
実施例１において得られたこの発明の次亜塩素酸水溶液は、優れた消臭性能を有することが分かる。
【００４８】
＜比較例１＞
実施例１と同様の方法により、ｐＨ約６．５、有効塩素濃度２００ｐｐｍ程度の次亜塩素酸水溶液を製造した。
【００４９】
＜評価例４＞
実施例１において得られた次亜塩素酸水溶液と、比較例１において得られた次亜塩素酸水溶液を、下記評価方法に基づいて除菌ないし殺菌性能の比較評価を行った。
その結果を、表３に示す。
【００５０】
＜評価方法＞
普通寒天培地で温度３０℃、１０日間培養したB.subtilisを滅菌生理食塩水に懸濁させた。
この懸濁液を温度６５℃、３０分間加熱し、栄養細胞を死滅させて、芽胞菌液を得た。
この芽胞菌液を２回洗浄した後、滅菌生理食塩水に懸濁させ、芽胞数が約１０６／ｍｌになるよう調整した。
この懸濁液を、使用前に再度温度６５℃、３０分間加熱し、得られたものを試験芽胞液とした。
試験芽胞液１ｍｌを、各種試験液９ｍｌに添加し、所定の時間経過後に所定量の試験液を採取し、検出用培地で培養（温度３７℃、２４時間）し、菌数を測定した。
【００５１】
【表３】
2015104719.tif 000004
【００５２】
＜結  果＞
実施例１において得られた次亜塩素酸水溶液は、１０分間で除菌ないし殺菌する一方、比較例１で得られた次亜塩素酸水溶液は除菌ないし殺菌するのに３０分かかった。
したがって、この発明の次亜塩素酸水溶液は、特定の有効塩素濃度に調整されているので、短時間で優れた除菌ないし殺菌効果を発揮することが分かる。
【００５３】
＜実施例２＞
図３は、ウォーターサーバーの一例を示す図である。
実施例１において得られた次亜塩素酸水溶液を洗浄剤として用いて、下記方法により、ウォーターサーバー（１年間使用したもの）の洗浄を行った。
【００５４】
＜洗浄方法＞
ウォーターサーバー７の上部の水ボトル８を取り外した。
冷水用コック１０を操作して開栓し、ウォーターサーバー７内の全ての水を排出させた。
実施例１において得られた次亜塩素酸水溶液３リットルが充填された、コック付キャップを備えるボトル（図示せず）をウォーターサーバー７の上部に載置した。
ボトルからウォーターサーバー７内に次亜塩素酸水溶液を流し、１０分間放置した後、次亜塩素酸水溶液をウォーターサーバー７から排出させた。
【００５５】
＜評価例５＞
実施例２に基づくウォーターサーバー内の次亜塩素酸水溶液による洗浄前と後において、ウォーターサーバーから供給される水に細菌が存在しているか否かを、下記評価方法に基づいて評価した。
その結果を、表４に示す。
【００５６】
＜評価方法＞
標準寒天平板培地法により、各種試料（水）を検出用培地に添加して培養（温度３７℃、２４時間）し、菌数を測定した。
【００５７】
【表４】
2015104719.tif 000005
【００５８】
＜結  果＞
実施例１において得られた次亜塩素酸水溶液を洗浄剤として用いると、ウォーターサーバー内を１０分以内で除菌・洗浄することができる。
したがって、この発明の次亜塩素酸水溶液は、ウォーターサーバー内の洗浄剤として好ましく利用できることが分かる。
【産業上の利用可能性】
【００５９】
この発明は、除菌ないし殺菌剤等に含まれうる弱酸性次亜塩素酸水溶液の製造方法および製造装置、ならびに弱酸性次亜塩素酸水溶液を含有する除菌ないし殺菌剤等に関するもので、優れた除菌ないし殺菌性能および消臭性能を有し、特にウォーターサーバー用の洗浄剤として利用可能な弱酸性次亜塩素酸水溶液を提供できる。したがって、除菌ないし殺菌剤等の製造のために幅広く利用されるものである。
【符号の説明】
【００６０】
１          試験装置
２          チャンバー
３          噴霧装置
４          チャンバー内撹拌用ファン
５          ガスサンプリング口
６          標準ガスボンベ
７          ウォーターサーバー
８          水ボトル
９          ウォーターサーバー本体
１０          冷水用コック
１１          温水用コック
【図１】
2015104719.tif 000006
【図２】
2015104719.tif 000007
【図３】
2015104719.tif 000008